(57)【要約】【課題】虚像現出装飾体に現出させる虚像の濃さなどを調整可能な虚像現出装飾体、及び虚像現出装飾体の製造方法を提供する。【解決手段】虚像現出装飾体は、画素ユニットが配列されたユニット集合体と、複数の集光素からなり、集光素が画素ユニットと関連付けられた位置に配列された集光素集合体と、を備え、画素ユニット又は集光素の一方の配列ピッチは、他方の配列ピッチの値に所定の差分を加えた値の２以上の整数倍の値を有する配列ピッチを含む。【選択図】図６
2014040058.tif 000002
【特許請求の範囲】
【請求項１】
画素ユニットが配列されたユニット集合体と、
複数の集光素からなり、前記集光素が前記画素ユニットと関連付けられた位置に配列された集光素集合体と、を備え、
前記画素ユニット又は前記集光素の一方の配列ピッチは、他方の配列ピッチの値に所定の差分を加えた値の２以上の整数倍の値を有する配列ピッチを含む、
ことを特徴とする虚像現出装飾体。
【請求項２】
前記画素ユニットおよび前記集光素は２次元配列されていて、前記２次元配列の配列方向ごとに、前記整数倍の倍数が異なることを特徴とする、請求項１に記載の虚像現出装飾体。
【請求項３】
前記画素ユニットの配列ピッチが、前記集光素の配列ピッチの値に所定の差分を加えた値の２以上の整数倍の値を有する配列ピッチを含むことを特徴とする、請求項１又は２に記載の虚像現出装飾体。
【請求項４】
前記集光素の配列ピッチが、前記画素ユニットの配列ピッチの値に所定の差分を加えた値の２以上の整数倍の値を有する配列ピッチを含むことを特徴とする、請求項１又は２に記載の虚像現出装飾体。
【請求項５】
前記２次元配列の一方の配列方向において、前記画素ユニットの配列ピッチが、前記集光素の配列ピッチの値に所定の差分を加えた値の２以上の整数倍の値を有する配列ピッチを含み、
前記２次元配列のもう一方の配列方向において、前記集光素の配列ピッチが、前記画素ユニットの配列ピッチの値に所定の差分を加えた値の２以上の整数倍の値を有する配列ピッチを含む、
ことを特徴とする、請求項２に記載の虚像現出装飾体。
【請求項６】
前記ユニット集合体と前記集光素集合体との組である虚像ユニットを複数備え、
前記虚像ユニットごとに、前記整数倍の倍数が異なる、
ことを特徴とする、請求項１乃至５のいずれか一項に記載の虚像現出装飾体。
【請求項７】
前記整数倍の値が場所によって異なることを特徴とする、請求項１乃至６のいずれか一項に記載の虚像現出装飾体。
【請求項８】
画素ユニットが配列されたユニット集合体と、複数の集光素からなり、前記集光素が前記画素ユニットと関連付けられた位置に配列された集光素集合体と、を備える虚像現出装飾体の製造方法であって、
前記画素ユニット又は前記集光素の一方の少なくとも一部を、他方の配列ピッチの値に所定の差分を加えた値の２以上の整数倍の配列ピッチで配設し、
前記画素ユニット及び前記集光素の両方、又はいずれか一方を、液滴を吐出する液滴吐出装置を用いて形成することを特徴とする虚像現出装飾体の製造方法。
【発明の詳細な説明】
【技術分野】
【０００１】
本発明は、規則的に配設された画素ユニットと、画素ユニットを覆う位置に規則的に配設されたレンズ状の集光素とを備え、画素ユニットが拡大された虚像を現出させる虚像現出装飾体、及び虚像現出装飾体の製造方法に関する。
【背景技術】
【０００２】
従来から、規則的に配設された画素ユニットを備えるユニット集合体と、画素ユニットを覆う位置に規則的に配設されたレンズ状の集光素を備える集光素集合体とを備え、画素ユニットが拡大された虚像を現出させる虚像現出装飾体が知られている。
【０００３】
特許文献１には、格子状に配列されたレンズ状の集光素からなる平凸レンズ状集光層と、集光素の格子の枡目の大きさに対して２０〜８０％の大きさに形成された画素（画素ユニット）からなる画像（ユニット集合体）を形成することで、いかなる文字列も虚像として上方又は下方に現出させることができるとする虚像現出装飾体が開示されている。
【先行技術文献】
【特許文献】
【０００４】
【特許文献１】特開２００５−７５９３号公報
【発明の概要】
【発明が解決しようとする課題】
【０００５】
しかしながら、現出させることができる虚像は、画素（画素ユニット）の拡大像であり、形状や色調などは、画素（画素ユニット）によって画一的に定まるものであった。このため、色調が異なる虚像を現出させるためには、現出させる虚像ごとに、専用の画素（画素ユニット）を形成しなければならないという課題があった。特に、色が薄い虚像を現出させるためには、色が薄い画像を形成する必要があり、色が薄いインクを用いる必要があるという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例にかかる虚像現出装飾体は、画素ユニットが配列されたユニット集合体と、複数の集光素からなり、前記集光素が前記画素ユニットと関連付けられた位置に配列された集光素集合体と、を備え、前記画素ユニット又は前記集光素の一方の配列ピッチは、他方の配列ピッチの値に所定の差分を加えた値の２以上の整数倍の値を有する配列ピッチを含むことを特徴とする。
【０００８】
本適用例にかかる虚像現出装飾体によれば、画素ユニット又は集光素の一方は、他方の配列ピッチの値に所定の差分を加えた値の２以上の整数倍の配列ピッチで配設されているものを含んでいる。
虚像現出装飾体は、画素ユニットに対して関係付けられた位置に配設された集光素によって、画素ユニットの拡大虚像を現出させるものである。集光素集合体が備えるそれぞれの集光素は、ユニット集合体を構成する画素ユニットの拡大虚像を現出させる。しかし、虚像の倍率が非常に大きいため、１個の集光素によって視認できるのは、画素ユニットの拡大虚像の一部分である。集光素集合体の全体においては、集光素集合体が備えるそれぞれの集光素が現出させる拡大虚像の一部分が、全体として１個の拡大虚像のように視認される。
配列ピッチの値に所定の差分を加えた値の２以上の整数倍の配列ピッチで配設されている画素ユニット又は集光素は、配置間隔が大きくなっているため、虚像現出装飾体に配設されている数が少なくなっている。画素ユニット又は集光素の数が少ないため、「１個の集光素によって視認できる画素ユニットの拡大虚像の一部分」の数が少なくなっている。すなわち、１個の拡大虚像のように視認される虚像を構成する「拡大虚像の一部分」の数が少なくなっている。このため、略同数の画素ユニットと集光素とが配設されて構成されている虚像現出装飾体において現出される虚像とくらべて、色の彩度であれば、淡く見える虚像を現出させることができる。色の明度であれば、暗く見える虚像を現出させることができる。
【０００９】
［適用例２］上記適用例にかかる虚像現出装飾体は、前記画素ユニットおよび前記集光素は２次元配列されていて、前記２次元配列の配列方向ごとに、前記整数倍の倍数が異なることが好ましい。
【００１０】
この虚像現出装飾体によれば、２次元配列の配列方向ごとに、整数倍の倍数が異なっている。２次元配列の配列方向の一方を行方向と表記し、もう一方を列方向と表記する。行方向及び列方向において、整数倍の配列ピッチで配設されている画素ユニットや集光素の数は、整数倍の倍数の逆数に比例する。行方向と列方向における倍数が等しい場合、２次元配列されている画素ユニットや集光素の数は、整数倍の倍数の二乗の逆数に比例する。すなわち、整数倍の倍数を例えば２倍にすると、２次元配列されている画素ユニットや集光素の数は、１／４になる。行方向と列方向における倍数が異なることで、行方向と列方向における倍数を個別に選択することができる。すなわち、行方向と列方向のどちらか一方において、整数倍の倍数を例えば２倍にすると、２次元配列されている画素ユニットや集光素の数は、１／２になる。このように、行方向と列方向における倍数を個別に選択することで、２次元配列されている画素ユニットや集光素の数の変化量を小さくすることができる。これにより、画素ユニットや集光素の数を繊細に調整することができる。すなわち、現出される虚像の色の彩度などを繊細に調整することができる。
【００１１】
［適用例３］上記適用例にかかる虚像現出装飾体は、前記画素ユニットの配列ピッチが、前記集光素の配列ピッチの値に所定の差分を加えた値の２以上の整数倍の値を有する配列ピッチを含むことが好ましい。
【００１２】
この虚像現出装飾体によれば、画素ユニットが、集光素の配列ピッチの値に所定の差分を加えた値の２以上の整数倍の配列ピッチで配設されている。倍数が例えば２の場合、画素ユニットの配列ピッチは、集光素の配列ピッチの約２倍である。この構成では、画素ユニットが集光素の配列ピッチの値に所定の差分を加えた配列ピッチで配設されている構成においては画素ユニットの虚像を現出させることができる位置に配設された集光素の約半分は、対応する画素ユニットが存在しない。すなわち、１個の拡大虚像のように視認される虚像を構成する「拡大虚像の一部分」の数が約半分となる。このように、略同数の画素ユニットと集光素とが配設されて構成されている虚像現出装飾体において現出される虚像とくらべて、色の彩度であれば、淡く見える虚像を現出させることができる。
【００１３】
［適用例４］上記適用例にかかる虚像現出装飾体は、前記集光素の配列ピッチの値が、前記画素ユニットの配列ピッチの値に所定の差分を加えた値の２以上の整数倍の値を有する配列ピッチを含むことが好ましい。
【００１４】
この虚像現出装飾体によれば、集光素が、画素ユニットの配列ピッチの値に所定の差分を加えた値の２以上の整数倍の配列ピッチで配設されている。倍数が例えば２の場合、集光素の配列ピッチは、画素ユニットの配列ピッチの約２倍である。この構成では、画素ユニットが集光素の配列ピッチの値に所定の差分を加えた配列ピッチで配設されている構成においては画素ユニットの虚像を現出させることができる位置に配設された集光素の約半分は、存在しない。対応する集光素が存在しない画素ユニットの虚像は形成されない。すなわち、１個の拡大虚像のように視認される虚像を構成する「拡大虚像の一部分」の数が約半分となる。このように、略同数の画素ユニットと集光素とが配設されて構成されている虚像現出装飾体において現出される虚像とくらべて、色の彩度であれば、淡く見える虚像を現出させることができる。
【００１５】
［適用例５］上記適用例にかかる虚像現出装飾体は、２次元配列の一方の配列方向において、前記画素ユニットの配列ピッチが、前記集光素の配列ピッチの値に所定の差分を加えた値の２以上の整数倍の値を有する配列ピッチを含み、２次元配列のもう一方の配列方向において、前記集光素の配列ピッチが、前記画素ユニットの配列ピッチの値に所定の差分を加えた値の２以上の整数倍の値を有する配列ピッチを含むことが好ましい。
【００１６】
この虚像現出装飾体によれば、２次元配列の一方の配列方向において画素ユニットの数を少なくし、もう一方の配列方向において、集光素の数を少なくして、略同数の画素ユニットと集光素とが配設されて構成されている虚像現出装飾体において現出される虚像とくらべて、色の彩度であれば、淡く見える虚像を現出させることができる。
【００１７】
［適用例６］上記適用例にかかる虚像現出装飾体は、前記ユニット集合体と前記集光素集合体との組である虚像ユニットを複数備え、前記虚像ユニットごとに、前記整数倍の倍数が異なることが好ましい。
【００１８】
この虚像現出装飾体によれば、虚像ユニットごとに、整数倍の倍数が異なっている。これにより、同じ画素ユニットを備えるユニット集合体を用いて、虚像ユニットごとに例えば色の濃さが異なる虚像を現出させることができる。
【００１９】
［適用例７］上記適用例にかかる虚像現出装飾体は、前記整数倍の値が、場所によって異なることが好ましい。
【００２０】
この虚像現出装飾体によれば、整数倍の値が、場所によって異なっている。すなわち、配列ピッチが場所によって変化する。配列ピッチが変化すると、現出させられる虚像の、例えば色の濃度が変化する。これにより、同じ画素ユニットが整列したユニット集合体を用いて、ひとつの虚像において、色の濃さを部分的に変えることができる。ひとつの虚像において、例えば色の濃さのグラデーションを形成することができる。
【００２１】
［適用例８］本適用例にかかる虚像現出装飾体の製造方法は、画素ユニットが配列されたユニット集合体と、複数の集光素からなり、前記集光素が前記画素ユニットと関連付けられた位置に配列された集光素集合体と、を備える虚像現出装飾体の製造方法であって、前記画素ユニット又は前記集光素の一方の少なくとも一部を、他方の配列ピッチの値に所定の差分を加えた値の２以上の整数倍の配列ピッチで配設し、前記画素ユニット及び前記集光素の両方、又はいずれか一方を、液滴を吐出する液滴吐出装置を用いて形成することを特徴とする。
【００２２】
本適用例にかかる虚像現出装飾体の製造方法によれば、画素ユニット又は集光素の一方の少なくとも一部は、他方の配列ピッチの値に所定の差分を加えた値の２以上の整数倍の配列ピッチで配設される。
虚像現出装飾体は、画素ユニットに対して関係付けられた位置に配設された集光素によって、画素ユニットの拡大虚像を現出させるものである。集光素集合体が備えるそれぞれの集光素は、ユニット集合体を構成する画素ユニットの拡大虚像を現出させる。しかし、虚像の倍率が非常に大きいため、１個の集光素によって視認できるのは、画素ユニットの拡大虚像の一部分である。集光素集合体の全体においては、集光素集合体が備えるそれぞれの集光素が現出させる拡大虚像の一部分が、全体として１個の拡大虚像のように視認される。
配列ピッチの値に所定の差分を加えた値の整数倍の配列ピッチで配設されている画素ユニット又は集光素は、配置間隔が大きくなっているため、虚像現出装飾体に配設されている数が少なくなっている。画素ユニット又は集光素の数が少ないため、「１個の集光素によって視認できる画素ユニットの拡大虚像の一部分」の数が少なくなっている。すなわち、１個の拡大虚像のように視認される虚像を構成する「拡大虚像の一部分」の数が少なくなっている。このため、略同数の画素ユニットと集光素とが配設されて構成されている虚像現出装飾体において現出される虚像とくらべて、色の彩度であれば、淡く見える虚像を現出させることができる虚像現出装飾体を製造することができる。色の明度であれば、暗く見える虚像を現出させることができる虚像現出装飾体を製造することができる。
【００２３】
また、液滴吐出装置を用いて、画素ユニット及び集光素の両方、又はいずれか一方を、形成する。すなわち、液滴吐出装置を用いて、所定の位置関係に配設される位置に画素ユニットを描画する。液滴吐出装置を用いることで、正確な体積の液滴を、正確な位置に配置することができる。これにより、正確な形状を有し正確な位置関係に配設された画素ユニットを形成することができる。また、液滴吐出装置を用いて、所定の位置関係に配設される位置に集光素を描画する。これにより、正確な形状を有し正確な位置関係に配設された集光素を形成することができる。さらに、液滴吐出装置を用いることで、配列ピッチを容易に変えることができるため、異なる配列ピッチの集光素集合体やユニット集合体を備える虚像現出装飾体を容易に形成することができる。
【図面の簡単な説明】
【００２４】
【図１】（ａ）は、液滴吐出装置全体の概略構成を示す外観斜視図。（ｂ）は、液滴吐出装置が備える液滴吐出ヘッドの概略構成を示す外観斜視図。
【図２】（ａ）は、吐出ノズルの配置位置を示す説明図。（ｂ）は、液滴をノズル列の延在方向に直線状に着弾させた状態を示す説明図。（ｃ）は、液滴を吐出走査方向に直線状に着弾させた状態を示す説明図。（ｄ）は、液滴を面状に着弾させた状態を示す説明図。
【図３】（ａ）は、虚像現出装飾体の構成の要部を示す断面図。（ｂ）は、虚像現出装飾体に形成される虚像を示す模式平面図。
【図４】（ａ）は、虚像現出装飾体のレンズアレイの構成を示す平面図。（ｂ）は、レンズアレイの拡大平面図。（ｃ）は、虚像現出装飾体の画素集合体の構成を示す平面図。（ｄ）は、画素集合体のひとつの拡大平面図。（ｅ）は、虚像現出装飾体のレンズアレイと画素集合体との構成を示す平面図。（ｆ）は、レンズアレイと（ｄ）に示した画素集合体との拡大平面図。
【図５】（ａ）は、Ａ画素集合体の構成を示す平面図。（ｂ）は、Ａ画素集合体を備える虚像ユニットの構成を示す拡大平面図。
【図６】（ａ）は、Ｂ画素集合体の構成を示す平面図。（ｂ）は、Ｂ画素集合体を備える虚像ユニットの構成を示す拡大平面図。（ｃ）は、Ｃ画素集合体の構成を示す平面図。（ｄ）は、Ｃ画素集合体を備える虚像ユニットの構成を示す拡大平面図。（ｅ）は、Ｄ画素集合体の構成を示す平面図。（ｆ）は、Ｄ画素集合体を備える虚像ユニットの構成を示す拡大平面図。
【図７】（ａ）は、虚像現出装飾体に形成される虚像を示す模式平面図。（ｂ）は、虚像現出装飾体のレンズアレイと画素集合体との構成を示す平面図。
【図８】（ａ）は、レンズアレイ１６１ａにおけるマイクロレンズの配列を示す平面図。（ｂ）は、レンズアレイ１６１ｂにおけるマイクロレンズの配列を示す平面図。（ｃ）は、レンズアレイ１６１ｂを備える虚像ユニットの構成を示す拡大平面図。
【図９】（ａ）は、レンズアレイ１６１ｃにおけるマイクロレンズの配列を示す平面図。（ｂ）は、レンズアレイ１６１ｃを備える虚像ユニットの構成を示す拡大平面図。（ｃ）は、レンズアレイ１６１ｄにおけるマイクロレンズの配列を示す平面図。（ｄ）は、レンズアレイ１６１ｄを備える虚像ユニットの構成を示す拡大平面図。
【発明を実施するための形態】
【００２５】
以下、本発明に係る虚像現出装飾体、及び虚像現出装飾体の製造方法の一実施形態について、図面を参照して説明する。なお、以下の説明において参照する図面では、図示の便宜上、部材又は部分の縦横の縮尺を実際のものとは異なるように表す場合がある。
【００２６】
＜液滴吐出装置＞
最初に、液滴吐出装置１について、図１を参照して説明する。図１は、液滴吐出装置の概略構成を示す外観斜視図である。図１（ａ）は、液滴吐出装置全体の概略構成を示す外観斜視図であり、図１（ｂ）は、液滴吐出装置が備える液滴吐出ヘッドの概略構成を示す外観斜視図である。
【００２７】
図１に示すように、液滴吐出装置１は、ヘッド機構部２と、ワーク機構部３と、機能液供給部４と、メンテナンス装置部５と、吐出装置制御部７と、を備えている。ヘッド機構部２は、機能液を液滴として吐出する液滴吐出ヘッド２０を備えている。ヘッド機構部２は、また、図示省略した紫外線照射部を有している。ワーク機構部３は、液滴吐出ヘッド２０から吐出された液滴の吐出対象（描画対象物）であるワークＷを載置するワーク載置台３３を備えている。機能液供給部４は、液滴吐出ヘッド２０へ機能液を供給する。メンテナンス装置部５は、液滴吐出ヘッド２０の保守を行う。吐出装置制御部７は、これら各機構部などを総括的に制御する。さらに、液滴吐出装置１は、床上に設置された複数の支持脚８と、支持脚８の上側に設置された定盤９とを備えている。
【００２８】
定盤９の上面には、ワーク機構部３が配設されている。ワーク機構部３は、定盤９の長手方向（Ｘ軸方向）に延在している。ワーク機構部３の上方には、定盤９に固定された２本の支持柱で支持されているヘッド機構部２が配設されている。ヘッド機構部２は、ワーク機構部３と略直交する方向（Ｙ軸方向）に延在している。定盤９の傍らには、ヘッド機構部２の液滴吐出ヘッド２０に連通する供給管を有する機能液供給部４の機能液タンクなどが配置されている。ヘッド機構部２の一方の支持柱の近傍には、メンテナンス装置部５がワーク機構部３と並んでＸ軸方向に延在して配設されている。さらに、定盤９の下側に、吐出装置制御部７が収容されている。
【００２９】
ヘッド機構部２は、液滴吐出ヘッド２０を有するヘッドユニット２１と、ヘッドユニット２１を支持するヘッドキャリッジ２２とを備えている。ヘッドキャリッジ２２をＹ軸方向に移動させることで、液滴吐出ヘッド２０をＹ軸方向に自在に移動させる。また、移動した位置に保持する。ワーク機構部３は、ワーク載置台３３をＸ軸方向に移動させることで、ワーク載置台３３に載置されたワークＷをＸ軸方向に自在に移動させる。また、移動した位置に保持する。
【００３０】
液滴吐出ヘッド２０を、Ｙ軸方向の吐出位置まで移動させて停止させ、下方にあるワークＷのＸ軸方向の移動に同調させて、機能液を液滴として吐出させる。液滴吐出ヘッド２０からの機能液の吐出をともなう、液滴吐出ヘッド２０とワークＷとの相対移動方向（走査方向）であるＸ軸方向を、吐出走査方向と表記する。
Ｘ軸方向に移動させるワークＷと、Ｙ軸方向に移動させる液滴吐出ヘッド２０とを相対的に制御することにより、ワークＷ上の任意の位置に液滴を着弾させることで、所望する描画などを行うことが可能である。
【００３１】
図１（ｂ）に示すように、液滴吐出ヘッド２０は、ノズル基板２５を備えている。ノズル基板２５には、多数の吐出ノズル２４が略一直線状に並んだノズル列２４Ａが２列形成されている。吐出ノズル２４から機能液を液滴として吐出し、対向する位置にあるワークＷなどに着弾させることで、当該位置に機能液を配置する。ノズル列２４Ａは、液滴吐出ヘッド２０が液滴吐出装置１に装着された状態で、図１（ａ）に示したＹ軸方向に延在している。ノズル列２４Ａにおいて吐出ノズル２４は等間隔のノズルピッチで並んでおり、２列のノズル列２４Ａ間で、吐出ノズル２４の位置がＹ軸方向に半ノズルピッチずれている。したがって、液滴吐出ヘッド２０としては、Ｙ軸方向に半ノズルピッチ間隔で機能液の液滴を配置することができる。
【００３２】
Ｙ軸方向の描画範囲を広げるためには、液滴吐出ヘッド２０をＹ軸方向に連ねてもよいし、液滴吐出ヘッド２０をＹ軸方向に移動させて、液滴吐出ヘッド２０のＹ軸方向における位置ごとに、ワークＷのＸ軸方向の移動と液滴吐出ヘッド２０からの吐出を実施してもよい。
Ｙ軸方向の液滴の配置ピッチを小さくするためには、複数の液滴吐出ヘッド２０を、Ｙ軸方向における吐出ノズル２４の位置を互いにずらしてＸ軸方向に並べてもよいし、３列以上のノズル列を備える液滴吐出ヘッドを用いてもよい。もちろん、製造可能な範囲であれば、ノズルピッチが小さい液滴吐出ヘッドを用いることもできる。
【００３３】
＜着弾位置＞
次に、液滴吐出ヘッド２０の吐出ノズル２４と、それぞれの吐出ノズル２４から吐出された液滴の着弾位置と、の関係について、図２を参照して説明する。図２は、吐出ノズルと、それぞれの吐出ノズルから吐出された液滴の着弾位置と、の関係を示す説明図である。図２（ａ）は、吐出ノズルの配置位置を示す説明図であり、図２（ｂ）は、液滴をノズル列の延在方向に直線状に着弾させた状態を示す説明図であり、図２（ｃ）は、液滴を吐出走査方向に直線状に着弾させた状態を示す説明図であり、図２（ｄ）は、液滴を面状に着弾させた状態を示す説明図である。図２に示したＸ軸方向及びＹ軸方向は、ヘッドユニット２１が液滴吐出装置１に取り付けられた状態において、図１に示したＸ軸方向又はＹ軸方向と一致している。Ｘ軸方向が吐出走査方向であって、図２に示した矢印ａの方向に吐出ノズル２４（液滴吐出ヘッド２０）を相対移動させながら、任意の位置において機能液の液滴を吐出することによって、Ｘ軸方向の任意の位置に液滴を着弾させることができる。
【００３４】
図２（ａ）に示すように、ノズル列２４Ａを構成する吐出ノズル２４は、Ｙ軸方向にノズルピッチＰの中心間距離で配列されている。上述したように、２列のノズル列２４Ａをそれぞれ構成する吐出ノズル２４同士は、Ｙ軸方向において、相互に、ノズルピッチＰの１／２ずつ位置がずれている。
【００３５】
図２（ｂ）に示すように、着弾位置を示す着弾点９１と、着弾した液滴の濡れ広がり状態を示す着弾円９１Ａとで、着弾した１滴の液滴の状態を示している。２列のノズル列２４Ａの全部の吐出ノズル２４から、図２（ｂ）に二点鎖線で示した仮想線Ｌ上に着弾させるタイミングで、それぞれ液滴を吐出させることによって、ノズルピッチＰの１／２の中心間間隔で着弾円９１Ａが直線状に連なるパターンが形成される。
【００３６】
図２（ｃ）に示すように、一つの吐出ノズル２４から連続して液滴を吐出させることによって、Ｘ軸方向に着弾円９１Ａが直線状に連なるパターンが形成される。Ｘ軸方向における着弾点９１間の中心間距離の最小値を、最小着弾距離ｄと表記する。最小着弾距離ｄは、Ｘ軸方向における相対移動速度と、吐出ノズル２４の最小吐出間隔（時間）との積である。
【００３７】
図２（ｄ）に示すように、二点鎖線で示した仮想線Ｌ１，Ｌ２，Ｌ３上に着弾させるタイミングで、それぞれ液滴を吐出させることによって、ノズルピッチＰの１／２の中心間間隔で着弾円９１Ａが連なる直線が、Ｘ軸方向に並列した着弾面が形成される。図２（ｄ）に示した仮想線Ｌ１，Ｌ２，Ｌ３間の距離が最小着弾距離ｄの場合のそれぞれの着弾点９１が、液滴吐出装置１によって機能液の液滴を配置可能な位置である。
【００３８】
画像の描画に際しては、画像の情報に従って、図２（ｄ）に示したそれぞれの着弾点９１の位置について、液滴を配置する位置を定める。例えば、当該配置位置、及び配置位置に液滴を吐出する吐出ノズル２４を指定した画素配置図を形成し、当該画素配置図に従って機能液を着弾させることによって、画像の情報によって規定される画像を描画する。なお、図２（ｄ）に示した例では、着弾円９１Ａの間に隙間が存在するが、ノズルピッチＰや最小着弾距離ｄに対して、吐出する液滴の１滴あたりの吐出重量を適切に定めることによって、隙間なく機能液を配置することも可能であり、機能液を硬化させて盛上った塊を形成することもが可能である。もちろん、他の液滴と重ねることなく、１滴の液滴を独立させて配置することも可能である。
【００３９】
＜虚像現出装飾体＞
次に、画素ユニットを有する画素集合体、及びマイクロレンズを有するレンズアレイを備える虚像現出装飾体の構成について、図３及び図４を参照して説明する。図３は、虚像現出装飾体の構成を示す模式図である。図３（ａ）は、虚像現出装飾体の構成の要部を示す断面図であり、図３（ｂ）は、虚像現出装飾体に形成される虚像を示す模式平面図である。図４は、虚像現出装飾体を構成する要素の構成を示す模式図である。図４（ａ）は、虚像現出装飾体のレンズアレイの構成を示す平面図であり、図４（ｂ）は、レンズアレイの拡大平面図であり、図４（ｃ）は、虚像現出装飾体の画素集合体の構成を示す平面図であり、図４（ｄ）は、画素集合体のひとつの拡大平面図であり、図４（ｅ）は、虚像現出装飾体のレンズアレイと画素集合体との構成を示す平面図であり、図４（ｆ）は、レンズアレイと（ｄ）に示した画素集合体との拡大平面図である。
【００４０】
図３（ａ）に示すように、虚像現出装飾体５１は、基材５３と、レンズアレイ６１と、画素集合体７１とを備えている。基材５３は、透明な素材で形成されたフィルム状の部材である。基材５３の素材としては、ポリエチレン（ＰＥ）、ポリプロピレン（ＰＰ）、ポリエチレンテレフタレート（ＰＥＴ）、ポリカーボネート（ＰＣ）、ポリ塩化ビニル（ＰＶＣ）、ポリビニルアルコール（ＰＶＡ）などが挙げられる。
基材５３の一面には、撥液層５５が形成されている。撥液層５５の上には、レンズアレイ６１を構成するマイクロレンズ６２が形成されている。マイクロレンズ６２は、上述した液滴吐出装置１を用いて、マイクロレンズ６２の材料を含む機能液を、所定の平面視形状を形成し、所定の量が配置されるように、所定の位置に配置することによって形成することができる。
基材５３の撥液層５５が形成されている面の反対側の面には、画素集合体７１を構成する画素ユニット７２が形成されている。画素ユニット７２は、上述した液滴吐出装置１を用いて機能液の液滴を所定の位置に配置し、所定の形状を描画することによって形成することができる。
【００４１】
図３（ａ）に示した矢印ｓの方向から見ると、図３（ｂ）に示すように、画素虚像７３を視認することができる。図３（ｂ）には、画素虚像７３として、文字Ａ、文字Ｂ、文字Ｃ、及び文字Ｄが例示してある。文字Ａ、文字Ｂ、文字Ｃ、又は文字Ｄの形状を有する画素虚像７３を、画素虚像７３Ａ、画素虚像７３Ｂ、画素虚像７３Ｃ、又は画素虚像７３Ｄと表記する。１個の画素虚像７３が形成される領域を虚像領域７３０と表記する。画素虚像７３Ａ、画素虚像７３Ｂ、画素虚像７３Ｃ、又は画素虚像７３Ｄが形成される虚像領域７３０を、虚像領域７３０ａ、虚像領域７３０ｂ、虚像領域７３０ｃ、又は虚像領域７３０ｄと表記する。
【００４２】
レンズアレイ６１は、マイクロレンズ６２が格子状に等ピッチ間隔で並べられて形成されている。１個の虚像領域７３０に形成されているマイクロレンズ６２の集合をレンズアレイ６１と表記し、虚像現出装飾体５１全体に形成されているマイクロレンズ６２の集合をレンズアレイ６１０と表記する。図４（ａ）に二点鎖線で示した領域に、レンズアレイ６１０が形成されている。図４（ｂ）に示すように、レンズアレイ６１は、マイクロレンズ６２がピッチＰ１で、縦横に配設されている。レンズアレイ６１には、例えば、４５行×４５列で、２０２５個のマイクロレンズ６２が形成されている。ピッチＰ１は、例えば１８０μｍである。
【００４３】
図４（ｃ）に示した二点鎖線で囲まれた領域が、１個所の虚像領域７３０を示している。１個所の虚像領域７３０には、１個の画素集合体７１が形成されている。虚像領域７３０ａ、虚像領域７３０ｂ、虚像領域７３０ｃ、又は虚像領域７３０ｄに形成されている画素集合体７１を、Ａ画素集合体７１ａ、Ｂ画素集合体７１ｂ、Ｃ画素集合体７１ｃ、又はＤ画素集合体７１ｄと表記する。図４（ｄ）に示すように、Ａ画素集合体７１ａは、画素ユニット７２がピッチＰ２で、縦横に配設されている。ピッチＰ２と、ピッチＰ１とは、ピッチＰ１×（レンズアレイ６１におけるマイクロレンズ６２の行数又は列数−１）＝ピッチＰ２×（画素集合体７１における画素ユニット７２の行数又は列数）の関係を満たす値に設定されている。図４（ｄ）に示した画素集合体７１は、Ａ画素集合体７１ａであり、画素虚像７３Ａと略相似形状を有する画素ユニット７２ａがピッチＰ２で配設されている。図４（ｃ）に示したＢ画素集合体７１ｂ、Ｃ画素集合体７１ｃ、及びＤ画素集合体７１ｄには、画素虚像７３Ｂ、画素虚像７３Ｃ、又は画素虚像７３Ｄと略相似形状を有する画素ユニット７２ｂ、画素ユニット７２ｃ、又は画素ユニット７２ｄが配設されている。画素虚像７３Ｂ、画素虚像７３Ｃ、及び画素虚像７３Ｄにおける画素ユニット７２ｂ、画素ユニット７２ｃ、又は画素ユニット７２ｄの配列の詳細は、後述する。
Ａ画素集合体７１ａには、例えば、４５行×４５列で、２０２５個の画素ユニット７２ａが形成されている。ピッチＰ２は、例えば１７６μｍである。
【００４４】
図４（ｅ）に示すように、虚像現出装飾体５１では、レンズアレイ６１と画素集合体７１とが、基材５３の面に平行な方向において重なる状態で形成されている。画素虚像７３を現出させるレンズアレイ６１と画素集合体７１との組を、虚像ユニット７６と表記する。画素虚像７３Ａ、画素虚像７３Ｂ、画素虚像７３Ｃ、又は画素虚像７３Ｄを現出させる虚像ユニット７６を、虚像ユニット７６ａ、虚像ユニット７６ｂ、虚像ユニット７６ｃ、又は虚像ユニット７６ｄと表記する。
【００４５】
図４（ｆ）に示すように、虚像ユニット７６（虚像ユニット７６ａ）において、レンズアレイ６１のマイクロレンズ１６２と、画素集合体７１の画素ユニット１７２とが、中心が合致している。マイクロレンズ１６２は、レンズアレイ６１の中央のマイクロレンズ６２であり、画素ユニット１７２は、画素集合体７１の中央の画素ユニット７２である。マイクロレンズ１６２の隣のマイクロレンズ６２と、画素ユニット１７２の隣の画素ユニット７２とは、中心位置が、ピッチＰ１とピッチＰ２との差に相当する量（所定の差分）だけずれている。ピッチＰ１が１８０μｍであり、ピッチＰ２が１７６μｍである場合、４μｍが所定の差分に相当する。ピッチＰ１、Ｐ２や所定の差分はこれらの値に限定されるものではなく、目的とする視覚的効果等に応じて適宜設定することができる。
虚像ユニット７６の端においては、画素集合体７１が有する画素ユニット７２の行又は列における端の行又は列を構成する画素ユニット７２の中心位置は、レンズアレイ６１が有するマイクロレンズ６２の行又は列における端の行又は列を構成するマイクロレンズ６２の中心位置と端から２番目の行又は列を構成するマイクロレンズ６２の中心位置との中点に位置する。
画素集合体７１が、ユニット集合体に相当する。マイクロレンズ６２が、集光素に相当する。レンズアレイ６１が、集光素集合体に相当する。
【００４６】
このように構成された虚像現出装飾体５１において、画素ユニット７２と対応するマイクロレンズ６２とによって、画素ユニット７２の一部分の拡大虚像が形成される。ピッチＰ１とピッチＰ２は所定の差分のずれがあるので、虚像ユニット７６において、画素ユニット７２と対応するマイクロレンズ６２ごとに、拡大虚像として形成する画素ユニット７２の部分が異なっている。このため、虚像ユニット７６において、マイクロレンズ６２を備えるレンズアレイ６１によって画素ユニット７２が拡大された画素虚像７３が、視認可能に形成される。
【００４７】
＜画素集合体＞
次に、虚像現出装飾体５１が備える画素集合体７１の構成について、図５及び図６を参照して説明する。図５は、Ａ画素集合体の構成を示す模式図である。図５（ａ）は、Ａ画素集合体の構成を示す平面図であり、図５（ｂ）は、Ａ画素集合体を備える虚像ユニットの構成を示す拡大平面図である。図６は、画素集合体の構成を示す模式図である。図６（ａ）は、Ｂ画素集合体の構成を示す平面図であり、図６（ｂ）は、Ｂ画素集合体を備える虚像ユニットの構成を示す拡大平面図であり、図６（ｃ）は、Ｃ画素集合体の構成を示す平面図であり、図６（ｄ）は、Ｃ画素集合体を備える虚像ユニットの構成を示す拡大平面図であり、図６（ｅ）は、Ｄ画素集合体の構成を示す平面図であり、図６（ｆ）は、Ｄ画素集合体を備える虚像ユニットの構成を示す拡大平面図である。
【００４８】
図５（ａ）に示すように、また、上述したように、Ａ画素集合体７１ａは、画素ユニット７２ａがピッチＰ２で、縦横に配設されている。
図５（ｂ）に示した図は、図４（ｆ）に示した図と同様である。図４（ｆ）を参照して説明したように、画素ユニット７２ａと対応するマイクロレンズ６２とによって、画素ユニット７２の一部分の拡大虚像が形成される。虚像ユニット７６ａにおいて、マイクロレンズ６２によって画素ユニット７２ａが拡大された画素虚像７３Ａが、視認可能に形成される。画素虚像７３Ａは、マイクロレンズ６２によって形成される画素ユニット７２ａの一部分の拡大虚像の集合体である。
【００４９】
図６（ａ）に示すように、虚像ユニット７６ｂが備えるＢ画素集合体７１ｂは、画素ユニット７２ｂがピッチ（２×Ｐ２）で、縦横に配設されている。Ａ画素集合体７１ａに４５行×４５列で、２０２５個の画素ユニット７２ａが形成されている場合、Ｂ画素集合体７１ｂには、２３行×２３列で、５２９個の画素ユニット７２ｂが形成されている。ピッチ（２×Ｐ２）は、例えば３５２μｍである。
上述したように、虚像ユニット７６ｂが備えるレンズアレイ６１のマイクロレンズ６２は、虚像ユニット７６ａが備えるレンズアレイ６１と同じレンズアレイ６１０に含まれる。図６（ｂ）に示したように、虚像ユニット７６ｂが備えるレンズアレイ６１のマイクロレンズ６２は、配列ピッチＰ１で配設されている。上述したように、ピッチＰ１は、例えば１８０μｍである。
【００５０】
虚像ユニット７６ａと同様に、虚像ユニット７６ｂにおいて、画素ユニット７２ｂと対応するマイクロレンズ６２とによって、画素ユニット７２ｂの一部分の拡大虚像が形成される。虚像ユニット７６ｂにおいて、レンズアレイ６１によって画素ユニット７２ｂが拡大された画素虚像７３Ｂが、視認可能に形成される。画素虚像７３Ｂは、マイクロレンズ６２によって形成される画素ユニット７２ｂの一部分の拡大虚像の集合体である。
ただし、Ｂ画素集合体７１ｂが備える画素ユニット７２ｂは、ピッチ（２×Ｐ２）で、縦横に配設されている。すなわち、画素虚像７３Ｂを構成する画素ユニット７２ｂの一部分の拡大虚像の数が、画素虚像７３Ａを構成する画素ユニット７２ａの一部分の拡大虚像の数にくらべて約１／４である。このため、画素ユニット７２ａと画素ユニット７２ｂとが同じ色である場合、画素虚像７３Ａにくらべて画素虚像７３Ｂのほうが、例えば薄くみえる。
【００５１】
図６（ｃ）に示すように、虚像ユニット７６ｃが備えるＣ画素集合体７１ｃは、画素ユニット７２ｃが、Ｘ軸方向の配列ピッチがピッチ（２×Ｐ２）であり、Ｙ軸方向の配列ピッチがピッチＰ２で配設されている。Ａ画素集合体７１ａに４５行×４５列で、２０２５個の画素ユニット７２ａが形成されている場合、Ｃ画素集合体７１ｃには、４５行×２３列で、１０３５個の画素ユニット７２ｃが形成されている。ピッチＰ２は、例えば１７６μｍであり、ピッチ（２×Ｐ２）は、例えば３５２μｍである。
上述したように、虚像ユニット７６ｃが備えるレンズアレイ６１のマイクロレンズ６２は、虚像ユニット７６ａが備えるレンズアレイ６１と同じレンズアレイ６１０に含まれる。図６（ｄ）に示したように、虚像ユニット７６ｃが備えるレンズアレイ６１のマイクロレンズ６２は、配列ピッチＰ１で配設されている。上述したように、ピッチＰ１は、例えば１８０μｍである。
【００５２】
虚像ユニット７６ａと同様に、虚像ユニット７６ｃにおいて、画素ユニット７２ｃと対応するマイクロレンズ６２とによって、画素ユニット７２ｃの一部分の拡大虚像が形成される。虚像ユニット７６ｃにおいて、レンズアレイ６１によって画素ユニット７２ｃが拡大された画素虚像７３Ｃが、視認可能に形成される。画素虚像７３Ｃは、マイクロレンズ６２によって形成される画素ユニット７２ｃの一部分の拡大虚像の集合体である。
ただし、Ｃ画素集合体７１ｃが備える画素ユニット７２ｃは、Ｘ軸方向にピッチ（２×Ｐ２）で、Ｙ軸方向にピッチＰ２で配設されている。このため、画素虚像７３Ｃを構成する画素ユニット７２ｃの一部分の拡大虚像の数が、画素虚像７３Ａを構成する画素ユニット７２ａの一部分の拡大虚像の数にくらべて約１／２であり、画素虚像７３Ｂを構成する画素ユニット７２ｂの一部分の拡大虚像の数にくらべて約２倍である。このため、画素ユニット７２ｃと画素ユニット７２ａと画素ユニット７２ｂとが同じ色である場合、画素虚像７３Ｃは、色の濃さが、画素虚像７３Ａと画素虚像７３Ｂの中間である。
【００５３】
図６（ｅ）に示すように、虚像ユニット７６ｄが備えるＤ画素集合体７１ｄは、画素ユニット７２ｄが、Ｘ軸方向の配列ピッチがピッチＰ２であり、Ｙ軸方向の配列ピッチがピッチ（２×Ｐ２）で配設されている。Ａ画素集合体７１ａに４５行×４５列で、２０２５個の画素ユニット７２ａが形成されている場合、Ｄ画素集合体７１ｄには、２３行×４５列で、１０３５個の画素ユニット７２ｄが形成されている。ピッチＰ２は、例えば１７６μｍであり、ピッチ（２×Ｐ２）は、例えば３５２μｍである。
上述したように、虚像ユニット７６ｄが備えるレンズアレイ６１のマイクロレンズ６２は、虚像ユニット７６ａが備えるレンズアレイ６１と同じレンズアレイ６１０に含まれる。図６（ｆ）に示したように、虚像ユニット７６ｄが備えるレンズアレイ６１のマイクロレンズ６２は、配列ピッチＰ１で配設されている。上述したように、ピッチＰ１は、例えば１８０μｍである。
【００５４】
虚像ユニット７６ａなどと同様に、虚像ユニット７６ｄにおいて、画素ユニット７２ｄと対応するマイクロレンズ６２とによって、画素ユニット７２ｄの一部分の拡大虚像が形成される。虚像ユニット７６ｄにおいて、レンズアレイ６１によって画素ユニット７２ｄが拡大された画素虚像７３Ｄが、視認可能に形成される。画素虚像７３Ｄは、マイクロレンズ６２によって形成される画素ユニット７２ｄの一部分の拡大虚像の集合体である。
ただし、Ｄ画素集合体７１ｄが備える画素ユニット７２ｄは、Ｘ軸方向にピッチＰ２で、Ｙ軸方向にピッチ（２×Ｐ２）で配設されている。このため、画素虚像７３Ｄを構成する画素ユニット７２ｄの一部分の拡大虚像の数が、画素虚像７３Ａを構成する画素ユニット７２ａの一部分の拡大虚像の数にくらべて約１／２であり、画素虚像７３Ｂを構成する画素ユニット７２ｂの一部分の拡大虚像の数にくらべて約２倍である。このため、画素ユニット７２ｃと画素ユニット７２ａと画素ユニット７２ｄとが同じ色である場合、画素虚像７３Ｄは、色の濃さが、画素虚像７３Ａと画素虚像７３Ｂの中間である。
【００５５】
＜虚像現出装飾体の他の例＞
次に、虚像現出装飾体５１とは一部の構成が異なる虚像現出装飾体１５１について、図７、図８、及び図９を参照して説明する。最初に、虚像現出装飾体１５１の全体構成について、図７を参照して説明する。図７は、虚像現出装飾体の構成を示す模式図である。図７（ａ）は、虚像現出装飾体に形成される虚像を示す模式平面図であり、図７（ｂ）は、虚像現出装飾体のレンズアレイと画素集合体との構成を示す平面図である。
【００５６】
虚像現出装飾体１５１は、虚像現出装飾体５１と同様に、基材１５３と、マイクロレンズ６２を備えるレンズアレイ１６１と、画素ユニット７２を備える画素集合体１７１とを備えている。基材１５３は、上述した基材５３と同様の部材であり、透明な素材で形成されたフィルム状の部材である。基材１５３の一面には、撥液層５５が形成されている。撥液層５５の上には、レンズアレイ１６１を構成するマイクロレンズ６２が形成されている。基材５３の撥液層５５が形成されている面の反対側の面には、画素集合体１７１を構成する画素ユニット７２が形成されている。
【００５７】
虚像現出装飾体１５１に対して、図３（ａ）に示した矢印ｓと同様の方向から見ると、図７（ａ）に示すように、画素虚像１７３を視認することができる。図７（ａ）には、画素虚像１７３として、文字Ａ、文字Ｂ、文字Ｃ、及び文字Ｄが例示してある。文字Ａ、文字Ｂ、文字Ｃ、又は文字Ｄの形状を有する画素虚像１７３を、画素虚像１７３Ａ、画素虚像１７３Ｂ、画素虚像１７３Ｃ、又は画素虚像１７３Ｄと表記する。１個の画素虚像１７３が形成される領域を虚像領域７４０と表記する。画素虚像１７３Ａ、画素虚像１７３Ｂ、画素虚像１７３Ｃ、又は画素虚像１７３Ｄが形成される虚像領域７４０を、虚像領域７４０ａ、虚像領域７４０ｂ、虚像領域７４０ｃ、又は虚像領域７４０ｄと表記する。
【００５８】
レンズアレイ１６１は、マイクロレンズ６２が格子状に等ピッチ間隔で並べられて形成されている。１個の虚像領域７４０に形成されているマイクロレンズ６２の集合をレンズアレイ１６１と表記する。図７（ｂ）に二点鎖線で示した領域に、レンズアレイ１６１が形成されている。虚像領域７４０ａ、虚像領域７４０ｂ、虚像領域７４０ｃ、又は虚像領域７４０ｄに形成されているレンズアレイ１６１を、レンズアレイ１６１ａ、レンズアレイ１６１ｂ、レンズアレイ１６１ｃ、又はレンズアレイ１６１ｄと表記する。
レンズアレイ１６１ａは、上述したレンズアレイ６１と同様に、マイクロレンズ６２がピッチＰ１で、縦横に配列されている。レンズアレイ１６１ａには、例えば、４５行×４５列で、２０２５個のマイクロレンズ６２が形成されている。ピッチＰ１は、例えば１８０μｍである。レンズアレイ１６１ｂ、レンズアレイ１６１ｃ、及びレンズアレイ１６１ｄは、マイクロレンズ６２の配列間隔が、レンズアレイ１６１ａとは異なっている。レンズアレイ１６１ｂ、レンズアレイ１６１ｃ、及びレンズアレイ１６１ｄの詳細は、後述する。
【００５９】
図７（ｂ）に一点鎖線で示した領域に、１個の画素集合体１７１が形成されている。虚像領域７４０ａ、虚像領域７４０ｂ、虚像領域７４０ｃ、又は虚像領域７４０ｄに形成されている画素集合体１７１を、画素集合体１７１ａ、画素集合体１７１ｂ、画素集合体１７１ｃ、又は画素集合体１７１ｄと表記する。画素集合体１７１ａは、上述したＡ画素集合体７１ａと同様の構成を有している。画素集合体１７１ａは、Ａ画素集合体７１ａと同様に、画素ユニット７２ａがピッチＰ２で、縦横に配列されている。
上述した虚像現出装飾体５１におけるピッチＰ２及びピッチＰ１と同様に、ピッチＰ２と、ピッチＰ１とは、ピッチＰ１×（レンズアレイ１６１におけるマイクロレンズ６２の行数又は列数−１）＝ピッチＰ２×（画素集合体１７１における画素ユニット７２の行数又は列数）の関係を満たす値に設定されている。
画素集合体１７１ａには、例えば、４５行×４５列で、２０２５個の画素ユニット７２ａが形成されている。ピッチＰ２は、例えば１７６μｍである。
【００６０】
図７（ｂ）に一点鎖線で示した画素集合体１７１ｂ、画素集合体１７１ｃ、及び画素集合体１７１ｄには、画素虚像１７３Ｂ、画素虚像１７３Ｃ、又は画素虚像１７３Ｄと略相似形状を有する画素ユニット７２ｂ、画素ユニット７２ｃ、又は画素ユニット７２ｄが配列されている。画素集合体１７１ｂ、画素集合体１７１ｃ、及び画素集合体１７１ｄにおいて、画素ユニット７２ｂ、画素ユニット７２ｃ、又は画素ユニット７２ｄは、画素集合体１７１ａにおける画素ユニット７２ａの配列と同様に配列されている。
画素集合体１７１ｂ、画素集合体１７１ｃ、及び画素集合体１７１ｄには、画素集合体１７１ａと同様に、例えば、４５行×４５列で、２０２５個の画素ユニット７２ｂ、画素ユニット７２ｃ、又は画素ユニット７２ｄが形成されている。
レンズアレイ１６１と画素集合体１７１の組を虚像ユニット１７６と表記する。レンズアレイ１６１ａと画素集合体１７１ａの組を虚像ユニット１７６ａと表記し、レンズアレイ１６１ｂと画素集合体１７１ｂの組を虚像ユニット１７６ｂと表記し、レンズアレイ１６１ｃと画素集合体１７１ｃの組を虚像ユニット１７６ｃと表記し、レンズアレイ１６１ｄと画素集合体１７１ｄの組を虚像ユニット１７６ｄと表記する。
画素集合体１７１が、ユニット集合体に相当する。マイクロレンズ６２が、集光素に相当する。レンズアレイ１６１が、集光素集合体に相当する。
【００６１】
＜レンズアレイ＞
次に、虚像現出装飾体１５１が備えるレンズアレイ１６１の構成について、図８及び図９を参照して説明する。図８及び図９は、虚像現出装飾体が備えるレンズアレイにおけるマイクロレンズの配列、及びマイクロレンズと画素ユニットとの位置関係を示す説明図である。図８（ａ）は、レンズアレイ１６１ａにおけるマイクロレンズの配列を示す平面図であり、図８（ｂ）は、レンズアレイ１６１ｂにおけるマイクロレンズの配列を示す平面図であり、図８（ｃ）は、レンズアレイ１６１ｂを備える虚像ユニットの構成を示す拡大平面図である。図９（ａ）は、レンズアレイ１６１ｃにおけるマイクロレンズの配列を示す平面図であり、図９（ｂ）は、レンズアレイ１６１ｃを備える虚像ユニットの構成を示す拡大平面図であり、図９（ｃ）は、レンズアレイ１６１ｄにおけるマイクロレンズの配列を示す平面図であり、図９（ｄ）は、レンズアレイ１６１ｄを備える虚像ユニットの構成を示す拡大平面図である。
【００６２】
最初に、レンズアレイ１６１ａを備える虚像領域７４０ａに現出させられる画素虚像１７３Ａについて、説明する。図８（ａ）に示すように、虚像領域７４０ａに配設されたレンズアレイ１６１ａは、上述したレンズアレイ６１と同様に、マイクロレンズ６２がピッチＰ１で、縦横に配設されている。レンズアレイ１６１ａには、例えば、４５行×４５列で、２０２５個のマイクロレンズ６２が形成されている。ピッチＰ１は、例えば１８０μｍである。虚像領域７４０ａに配設された画素集合体１７１ａには、例えば、４５行×４５列で、２０２５個の画素ユニット７２ａが形成されている。ピッチＰ２は、例えば１７６μｍである。
虚像領域７４０ａに配設されたマイクロレンズ６２と画素ユニット７２ａとの位置関係は、図４（ｆ）を参照して説明した虚像領域７３０ａに配設されたマイクロレンズ６２と画素ユニット７２ａとの位置関係と同様である。この構成により、虚像領域７４０ａには、虚像領域７３０ａに現出させられる画素虚像７３Ａと同様の画素虚像１７３Ａが現出させられる。
【００６３】
次に、レンズアレイ１６１ｂを備える虚像領域７４０ｂに現出させられる画素虚像１７３Ｂについて、説明する。図８（ｂ）に示すように、虚像領域７４０ｂに配設されたレンズアレイ１６１ｂは、マイクロレンズ６２がピッチ（２×Ｐ１）で、縦横に配列されている。レンズアレイ１６１ａに４５行×４５列で、２０２５個のマイクロレンズ６２が形成されている場合、レンズアレイ１６１ｂには、例えば、２３行×２３列で、５２９個のマイクロレンズ６２が形成されている。ピッチＰ１は、例えば１８０μｍであり、ピッチ（２×Ｐ１）は、３６０μｍである。
上述したように、虚像領域７４０ｂに配設された画素集合体１７１ｂには、例えば、４５行×４５列で、２０２５個の画素ユニット７２ｂが形成されている。ピッチＰ２は、例えば１７６μｍである。
【００６４】
虚像ユニット１７６ａと同様に、虚像ユニット１７６ｂにおいて、画素ユニット７２ｂと当該画素ユニット７２ｂに対応するマイクロレンズ６２とによって、画素ユニット７２ｂの一部分の拡大虚像が形成される。虚像ユニット１７６ｂにおいて、レンズアレイ１６１ｂによって画素ユニット７２ｂが拡大された画素虚像１７３Ｂが、視認可能に形成される。画素虚像１７３Ｂは、マイクロレンズ６２によって形成される画素ユニット７２ｂの一部分の拡大虚像の集合体である。
ただし、レンズアレイ１６１ｂには、マイクロレンズ６２がピッチ（２×Ｐ１）で、縦横に配列されている。すなわち、画素虚像１７３Ｂを構成する画素ユニット７２ｂの一部分の拡大虚像の数が、画素虚像１７３Ａを構成する画素ユニット７２ａの一部分の拡大虚像の数にくらべて約１／４である。このため、画素ユニット７２ａと画素ユニット７２ｂとが同じ色である場合、画素虚像１７３Ａにくらべて画素虚像１７３Ｂのほうが、例えば薄くみえる。
【００６５】
なお、画素虚像１７３Ｂと上述した画素虚像７３Ｂとは、虚像を構成する画素ユニット７２ｂの一部分の拡大虚像の数及び配置は略同等である。
画素虚像７３Ｂにおいては、画素ユニット７２ｂの一部分の拡大虚像を現出させているマイクロレンズ６２の間に、背景（画素ユニット７２ｂの周囲）の一部分の拡大虚像を現出させているマイクロレンズ６２が存在する。画素虚像７３Ｂは、拡大虚像を構成する画素ユニット７２ｂの色の点の間に、画素ユニット７２ｂの背景色の点が配置された構成を有している。
画素虚像１７３Ｂにおいては、画素ユニット７２ｂの一部分の拡大虚像を現出させているマイクロレンズ６２の間に、撥液層５５の面が存在する。当該部分では、基材１５３の反対側に形成された画素ユニット７２ｂが、撥液層５５及び基材１５３を介して、原寸大で視認可能である。画素ユニット７２ｂは微小であり、形状を視認することは、実質的に不可能である。マイクロレンズ６２の間の部分は、背景色が画素ユニット７２ｂの色の影響をうけた色を有しているように視認される。画素虚像１７３Ｂは、画素ユニット７２ｂの色の影響をうけた背景色の中に拡大虚像を構成する画素ユニット７２ｂの色の点が配置された構成を有している。
画素虚像１７３Ｂと画素虚像７３Ｂとは、例えば「いわゆる風合いの違い」と表現されるような違いを有している。
【００６６】
次に、レンズアレイ１６１ｃを備える虚像領域７４０ｃに現出させられる画素虚像１７３Ｃについて、説明する。図９（ａ）に示すように、虚像領域７４０ｃに配設されたレンズアレイ１６１ｃは、マイクロレンズ６２が、Ｘ軸方向の配列ピッチがピッチ（２×Ｐ１）であり、Ｙ軸方向の配列ピッチがピッチＰ１で配設されている。レンズアレイ１６１ａに４５行×４５列で、２０２５個のマイクロレンズ６２が形成されている場合、レンズアレイ１６１ｃには、例えば、４５行×２３列で、１０３５個のマイクロレンズ６２が形成されている。ピッチＰ１は、例えば１８０μｍであり、ピッチ（２×Ｐ１）は、３６０μｍである。
上述したように、虚像領域７４０ｃに配設された画素集合体１７１ｃには、例えば、４５行×４５列で、２０２５個の画素ユニット７２ｃが形成されている。ピッチＰ２は、例えば１７６μｍである。
【００６７】
虚像ユニット１７６ａと同様に、虚像ユニット１７６ｃにおいて、画素ユニット７２ｃと当該画素ユニット７２ｃに対応するマイクロレンズ６２とによって、画素ユニット７２ｃの一部分の拡大虚像が形成される。虚像ユニット１７６ｃにおいて、レンズアレイ１６１ｃによって画素ユニット７２ｃが拡大された画素虚像１７３Ｃが、視認可能に現出させられる。画素虚像１７３Ｃは、マイクロレンズ６２によって形成される画素ユニット７２ｃの一部分の拡大虚像の集合体である。
ただし、レンズアレイ１６１ｃには、マイクロレンズ６２が、Ｘ軸方向の配列ピッチがピッチ（２×Ｐ１）であり、Ｙ軸方向の配列ピッチがピッチＰ１で配設されている。すなわち、画素虚像１７３Ｃを構成する画素ユニット７２ｃの一部分の拡大虚像の数が、画素虚像１７３Ａを構成する画素ユニット７２ａの一部分の拡大虚像の数にくらべて約１／２であり、画素虚像１７３Ｂを構成する画素ユニット７２ｂの一部分の拡大虚像の数にくらべて約２倍である。このため、画素ユニット７２ｃと画素ユニット７２ａと画素ユニット７２ｂとが同じ色である場合、画素虚像１７３Ｃは、色の濃さが、画素虚像１７３Ａと画素虚像１７３Ｂの中間である。
【００６８】
次に、レンズアレイ１６１ｄを備える虚像領域７４０ｄに現出させられる画素虚像１７３Ｄについて、説明する。図９（ｃ）に示すように、虚像領域７４０ｄに配設されたレンズアレイ１６１ｄは、マイクロレンズ６２が、Ｘ軸方向の配列ピッチがピッチＰ１であり、Ｙ軸方向の配列ピッチがピッチ（２×Ｐ１）で配設されている。レンズアレイ１６１ａに４５行×４５列で、２０２５個のマイクロレンズ６２が形成されている場合、レンズアレイ１６１ｄには、例えば、２３行×４５列で、１０３５個のマイクロレンズ６２が形成されている。ピッチＰ１は、例えば１８０μｍであり、ピッチ（２×Ｐ１）は、３６０μｍである。
上述したように、虚像領域７４０ｄに配設された画素集合体１７１ｄには、例えば、４５行×４５列で、２０２５個の画素ユニット７２ｄが形成されている。ピッチＰ２は、例えば１７６μｍである。
【００６９】
虚像ユニット１７６ａと同様に、虚像ユニット１７６ｄにおいて、画素ユニット７２ｄと当該画素ユニット７２ｄに対応するマイクロレンズ６２とによって、画素ユニット７２ｄの一部分の拡大虚像が形成される。虚像ユニット１７６ｄにおいて、レンズアレイ１６１ｄによって画素ユニット７２ｄが拡大された画素虚像１７３Ｄが、視認可能に現出させられる。画素虚像１７３Ｄは、マイクロレンズ６２によって形成される画素ユニット７２ｄの一部分の拡大虚像の集合体である。
ただし、レンズアレイ１６１ｄには、マイクロレンズ６２が、Ｘ軸方向の配列ピッチがピッチＰ１であり、Ｙ軸方向の配列ピッチがピッチ（２×Ｐ１）で配列されている。すなわち、画素虚像１７３Ｄを構成する画素ユニット７２ｄの一部分の拡大虚像の数が、画素虚像１７３Ａを構成する画素ユニット７２ａの一部分の拡大虚像の数にくらべて約１／２であり、画素虚像１７３Ｂを構成する画素ユニット７２ｂの一部分の拡大虚像の数にくらべて約２倍である。このため、画素ユニット７２ｄと画素ユニット７２ａと画素ユニット７２ｂとが同じ色である場合、画素虚像１７３Ｄは、色の濃さが、画素虚像１７３Ａと画素虚像１７３Ｂの中間である。
【００７０】
以下、実施形態による効果を記載する。本実施形態によれば、以下の効果が得られる。
（１）Ｂ画素集合体７１ｂが備える画素ユニット７２ｂは、ピッチ（２×Ｐ２）で、縦横に配設されている。すなわち、画素虚像７３Ｂを構成する画素ユニット７２ｂの一部分の拡大虚像の数が、画素虚像７３Ａを構成する画素ユニット７２ａの一部分の拡大虚像の数にくらべて約１／４である。これにより、画素ユニット７２ａと画素ユニット７２ｂとが同じ色である場合、画素虚像７３Ａにくらべて画素虚像７３Ｂのほうが、例えば薄くみえるようにすることができる。
【００７１】
（２）Ｃ画素集合体７１ｃ及びＤ画素集合体７１ｄが備える画素ユニット７２ｃ又は画素ユニット７２ｄは、一方の方向にピッチ（２×Ｐ２）で、もう一方の方向にピッチＰ２で配設されている。このため、画素虚像７３Ｃ及び画素虚像７３Ｄを構成する画素ユニット７２ｃ又は画素ユニット７２ｄの一部分の拡大虚像の数が、画素虚像７３Ａを構成する画素ユニット７２ａの一部分の拡大虚像の数にくらべて約１／２であり、画素虚像７３Ｂを構成する画素ユニット７２ｂの一部分の拡大虚像の数にくらべて約２倍である。これにより、画素ユニット７２ｃ及び画素ユニット７２ｄと、画素ユニット７２ａと、画素ユニット７２ｂとが同じ色である場合、画素虚像７３Ｃ及び画素虚像７３Ｄは、色の濃さが、画素虚像７３Ａと画素虚像７３Ｂの中間にみえるようにすることができる。
【００７２】
（３）レンズアレイ１６１ｂには、マイクロレンズ６２がピッチ（２×Ｐ１）で、縦横に配設されている。すなわち、画素虚像１７３Ｂを構成する画素ユニット７２ｂの一部分の拡大虚像の数が、画素虚像１７３Ａを構成する画素ユニット７２ａの一部分の拡大虚像の数にくらべて約１／４である。これにより、画素ユニット７２ａと画素ユニット７２ｂとが同じ色である場合、画素虚像１７３Ａにくらべて画素虚像１７３Ｂのほうが、例えば薄くみえるようにすることができる。
【００７３】
（４）レンズアレイ１６１ｃ及びレンズアレイ１６１ｄには、マイクロレンズ６２が、一方の方向にピッチ（２×Ｐ１）で、もう一方の方向にピッチＰ１で配設されている。このため、画素虚像１７３Ｃ及び画素虚像１７３Ｄを構成する画素ユニット７２ｃ又は画素ユニット７２ｄの一部分の拡大虚像の数が、画素虚像１７３Ａを構成する画素ユニット７２ａの一部分の拡大虚像の数にくらべて約１／２であり、画素虚像１７３Ｂを構成する画素ユニット７２ｂの一部分の拡大虚像の数にくらべて約２倍である。これにより、画素ユニット７２ｃ及び画素ユニット７２ｄと、画素ユニット７２ａと、画素ユニット７２ｂとが同じ色である場合、画素虚像１７３Ｃ及び画素虚像１７３Ｄは、色の濃さが、画素虚像１７３Ａと画素虚像１７３Ｂの中間にみえるようにすることができる。
【００７４】
（５）Ｂ画素集合体７１ｂなどが備える画素ユニット７２は、ピッチ（２×Ｐ２）で、配設されている。レンズアレイ１６１ｂには、マイクロレンズ６２がピッチ（２×Ｐ１）で、配設されている。配列ピッチを２倍にすることで、所定の配置位置に配置される画素ユニット７２又はマイクロレンズ６２を間引いて、容易に画素ユニット７２又はマイクロレンズ６２の数を少なくすることができる。規則的に間引くため、画素ユニット７２及びマイクロレンズ６２の配設位置を新たに計算することを不要にすることができる。
【００７５】
（６）Ｂ画素集合体７１ｂなどが備える画素ユニット７２は、ピッチ（２×Ｐ２）で、配設されている。レンズアレイ１６１ｂには、マイクロレンズ６２がピッチ（２×Ｐ１）で、配設されている。配列ピッチを２倍にすることで、Ｂ画素集合体７１ｂなどやレンズアレイ１６１ｂなどの全面にわたって均等に、画素ユニット７２及びマイクロレンズ６２を配設することができる。これにより、画素ユニット７２及びマイクロレンズ６２を減少させて虚像の濃さなどを調整した虚像現出装飾体においても、画素ユニット７２と略相似形状の虚像を現出させることができる。
【００７６】
（７）基材５３の一面には、撥液層５５が形成されており、マイクロレンズ６２が、撥液層５５の上に形成されている。これにより、マイクロレンズ６２の材料を含む機能液を配置してマイクロレンズ６２を形成する際に、基材５３上に配置された機能液が濡れ広がることを抑制して、盛上ったレンズ形状を形成し易くすることができる。
【００７７】
以上、添付図面を参照しながら好適な実施形態について説明したが、好適な実施形態は、前記実施形態に限らない。実施形態は、要旨を逸脱しない範囲内において種々変更を加え得ることは勿論であり、以下の変形例のように実施することもできる。
【００７８】
（変形例１）前記実施形態においては、虚像現出装飾体５１は、画素ユニット７２が所定の配列ピッチの倍の配列ピッチで配設されている画素ユニット７２を備えており、虚像現出装飾体１５１は、マイクロレンズ６２が所定の配列ピッチの倍の配列ピッチで配設されているレンズアレイ１６１を備えていた。しかし、１個の虚像現出装飾体において、所定の配列ピッチの整数倍ピッチで配設されるのが画素ユニット又は集光素の一方のみであることは必須ではない。２次元配列の行方向では、画素ユニット又は集光素の一方を所定の配列ピッチの整数倍ピッチで配設し、列方向では他方を整数倍ピッチで配設する構成であってもよい。
【００７９】
（変形例２）前記実施形態においては、虚像現出装飾体５１は、画素ユニット７２が所定の配列ピッチの倍の配列ピッチで配設されている画素ユニット７２を備えており、虚像現出装飾体１５１は、マイクロレンズ６２が所定の配列ピッチの倍の配列ピッチで配設されているレンズアレイ１６１を備えていた。しかし、配列ピッチが所定の配列ピッチの倍であることは必須ではない。画素ユニット及び集光素の両方、又はいずれか一方が、所定の配列ピッチの３倍以上の配列ピッチで配設されている構成であってもよい。もちろん、倍数が過大であることは好ましくない。倍数は、形成される虚像の形状が視認できるように素ユニット又は集光素が残るような倍数であることが好ましい。例えば、画素ユニット又は集光素の一方向における配列数が、倍数が１である場合の１／１０以上であるように、倍数は１０以下であることが好ましい。
【００８０】
（変形例３）前記実施形態においては、１個の画素集合体７１、画素集合体１７１、レンズアレイ６１、及びレンズアレイ１６１の中で、画素ユニット７２、及びマイクロレンズ６２の配列ピッチは、同じ配列方向において均一であった。しかし、１個のユニット集合体及び集光素集合体における画素ユニット又は集光素の配列ピッチが同じ配列方向において均一であることは必須ではない。画素ユニット及び集光素は、同じ配列方向において複数の配列ピッチで配列されていてもよい。たとえば、配列ピッチを徐々に大きくしたり、小さくしたりしてもよい。配列ピッチを徐々に大きくしたり、小さくしたりすることで、いわゆるグラデーションをつけることができる。
【００８１】
（変形例４）前記実施形態においては、虚像現出装飾体５１及び虚像現出装飾体１５１は、複数の虚像領域７３０（虚像ユニット７６）又は虚像領域７４０（虚像ユニット１７６）を備えており、それぞれの虚像領域７３０又は虚像領域７４０は、互いに異なる画素集合体７１又はレンズアレイ１６１を備えていた。しかし、虚像現出装飾体が備える複数のユニット集合体及び集光素集合体が互いに異なる構成であることは必須ではない。虚像現出装飾体は、同じ構成のユニット集合体又は集光素集合体を複数備える構成であってもよい。
【００８２】
（変形例５）前記実施形態においては、虚像現出装飾体５１及び虚像現出装飾体１５１は、複数の虚像領域７３０（虚像ユニット７６）又は虚像領域７４０（虚像ユニット１７６）を備えており、それぞれの虚像領域７３０の画素集合体７１又は虚像領域７４０の画素集合体１７１は、互いに異なる画素ユニット７２を備えていた。しかし、虚像現出装飾体が備える複数のユニット集合体が備える画素ユニットが互いに異なる画素ユニットであることは必須ではない。虚像現出装飾体は、備えている複数のユニット集合体が共通の画素ユニットを備える構成であってもよい。虚像現出装飾体が備える複数の虚像ユニットを構成するユニット集合体が、一体のユニット集合体であってもよい。
【００８３】
（変形例６）前記実施形態においては、虚像現出装飾体５１及び虚像現出装飾体１５１のレンズアレイ６１又はレンズアレイ１６１におけるマイクロレンズ６２の配列ピッチＰ１と、画素集合体７１又は画素集合体１７１における画素ユニット７２の配列ピッチＰ２との関係は、ピッチＰ１＞ピッチＰ２であった。また、ピッチＰ１×（レンズアレイ６１におけるマイクロレンズ６２の行数又は列数−１）＝ピッチＰ２×（画素集合体７１における画素ユニット７２の行数又は列数）を満たす関係であった。または、ピッチＰ１×（レンズアレイ１６１におけるマイクロレンズ６２の行数又は列数−１）＝ピッチＰ２×（画素集合体１７１における画素ユニット７２の行数又は列数）を満たす関係であった。しかし、レンズアレイにおけるマイクロレンズの配列ピッチＰ１と、画素集合体における画素ユニットの配列ピッチＰ２との関係は、ピッチＰ１＜ピッチＰ２であってもよい。ピッチＰ１＜ピッチＰ２の場合、ピッチＰ１×（レンズアレイにおけるマイクロレンズの行数又は列数＋１）＝ピッチＰ２×（画素集合体における画素ユニットの行数又は列数）となるように、ピッチＰ１、ピッチＰ２、レンズアレイにおけるマイクロレンズの行数及び列数、及び画素集合体における画素ユニットの行数及び列数を設定する。
ピッチＰ１＞ピッチＰ２の場合、形成される虚像は、画素集合体の位置より沈んで（奥側に）見える。ピッチＰ１＜ピッチＰ２の場合、形成される虚像は、画素集合体の位置より浮かんで（手前側に）見える。
【００８４】
（変形例７）前記実施形態においては、虚像現出装飾体５１及び虚像現出装飾体１５１が備える虚像ユニット７６又は虚像ユニット１７６は４個であった。しかし、虚像現出装飾体が備える虚像ユニットは、何個であってもよい。虚像現出装飾体において現出させられる虚像の数は、何個であってもよい。
【００８５】
（変形例８）前記実施形態においては、画素ユニット７２の形状はアルファベットの文字であった。しかし、画素ユニットの形状は文字に限らない。画素ユニットの形状は他の形状であってもよい。また、画素ユニットが単独の像であることも必須ではない。画素ユニットは、複数の像からなるものであってもよい。
【００８６】
（変形例９）前記実施形態においては、インクジェット方式の液滴吐出装置１を用いて、虚像現出装飾体５１などが備える画素集合体７１などを構成する画素ユニット７２を描画することによって、画素集合体７１などを形成していた。しかし、液滴吐出装置を用いて、画素ユニットを形成するための材料を配置することは必須ではない。画素ユニットは、他の印刷方法などを用いて形成してもよい。
【００８７】
（変形例１０）前記実施形態においては、インクジェット方式の液滴吐出装置１を用いて、虚像現出装飾体５１などが備えるレンズアレイ６１などを構成するマイクロレンズ６２を形成することによって、レンズアレイ６１を形成していた。しかし、液滴吐出装置を用いて、マイクロレンズ６２（集光素）の材料を配置することは必須ではない。マイクロレンズ６２（集光素）は、他の印刷方法などを用いて形成してもよい。
【００８８】
（変形例１１）前記実施形態においては、画素ユニットおよび集光素は平面上の直交する２つの方向に配列する２次元配列であったが、これに限定されず、配列方向が直交していない配列や、曲面に沿って配列されるもの、１方向にのみ配列されるものや、これらの複合体であってもよい。
【符号の説明】
【００８９】
１…液滴吐出装置、２０…液滴吐出ヘッド、２４…吐出ノズル、５１…虚像現出装飾体、５３…基材、５５…撥液層、６１…レンズアレイ、６２…マイクロレンズ、７１…画素集合体、７１ａ…Ａ画素集合体、７１ｂ…Ｂ画素集合体、７１ｃ…Ｃ画素集合体、７１ｄ…Ｄ画素集合体、７２…画素ユニット、７２ａ，７２ｂ，７２ｃ，７２ｄ…画素ユニット、７３…画素虚像、７３Ａ，７３Ｂ，７３Ｃ，７３Ｄ…画素虚像、７６…虚像ユニット、７６ａ，７６ｂ，７６ｃ，７６ｄ…虚像ユニット、１５１…虚像現出装飾体、１５３…基材、１６１…レンズアレイ、１６１ａ，１６１ｂ，１６１ｃ，１６１ｄ…レンズアレイ、１６２…マイクロレンズ、１７１…画素集合体、１７１ａ，１７１ｂ，１７１ｃ，１７１ｄ…画素集合体、１７２…画素ユニット、１７３…画素虚像、１７３Ａ，１７３Ｂ，１７３Ｃ，１７３Ｄ…画素虚像、１７６…虚像ユニット、１７６ａ，１７６ｂ，１７６ｃ，１７６ｄ…虚像ユニット、６１０…レンズアレイ、７３０…虚像領域、７３０ａ，７３０ｂ，７３０ｃ，７３０ｄ…虚像領域、７４０…虚像領域、７４０ａ，７４０ｂ，７４０ｃ，７４０ｄ…虚像領域。
【図１】
2014040058.tif 000003
【図２】
2014040058.tif 000004
【図３】
2014040058.tif 000005
【図４】
2014040058.tif 000006
【図５】
2014040058.tif 000007
【図６】
2014040058.tif 000008
【図７】
2014040058.tif 000009
【図８】
2014040058.tif 000010
【図９】
2014040058.tif 000011